(57)【要約】【課題】一定の平均照度を維持しつつ、商品の照度均斉度を向上させる。【解決手段】商品５０を載置する棚板３２と、棚板３２の載置面のうち、顧客が商品５０を取り出す側となる前面の前端縁に対して斜め下前方に近接配置され、ＬＥＤ３８ａが光軸を略上方に向けて備えられたＬＥＤ照明３８と、ＬＥＤ照明３８の前方に近接配置され、ＬＥＤ照明３８の光の一部を商品５０に向けて反射する反射板４０と、を含んでショーケースを構成する。光軸中心近傍の光度が大きい直接光が、商品５０のうちＬＥＤ照明３８から遠い上部を、距離により減衰した光度で照射し、光軸中心から離れた光度の小さい直接光が、商品５０のうちＬＥＤ照明３８から近い下部を、距離による減衰が小さい光度で照射する。また、ＬＥＤ照明３８からの光の一部が反射板４０で反射した反射光は、ＬＥＤ照明３８から商品５０に照射される直接光を補って商品５０を照明する。【選択図】図７
2012157554.tif 000002
【特許請求の範囲】
【請求項１】
商品が載置される棚板と、
前記棚板のうち顧客が前記商品を取り出す側となる前側に載置される商品に対して、その前側近傍に配置され、前記商品を照明するＬＥＤ照明と、
前記ＬＥＤ照明の前方に近接配置され、前記ＬＥＤ照明の光の一部を前記商品に向けて反射する反射板と、
を含んで構成されたショーケース。
【請求項２】
前記ＬＥＤ照明は、前記棚板のうち前記商品を載置する面の前端縁に対して斜め下前方に近接配置され、前記ＬＥＤの光軸を上方に向けたことを特徴とする請求項１に記載のショーケース。
【請求項３】
前記反射板のうち、前記ＬＥＤ照明からの光の一部を反射する反射面が、前記ＬＥＤ照明の光を乱反射するように構成されていることを特徴とする請求項１に記載のショーケース。
【請求項４】
前記反射板のうち、前記反射面が、白色のシルク印刷層を形成していることを特徴とする請求項３に記載のショーケース。
【請求項５】
前記反射板が、光を透過させる性質を有する材料からなることを特徴とする請求項１〜請求項４のいずれか１つに記載のショーケース。
【請求項６】
前記反射板のうち、前記反射面に対して反対側の面が、前記商品の広告を表示する表示層を形成していることを特徴とする請求項５に記載のショーケース。
【請求項７】
前記反射板が、上方にいくにつれて、前記棚板の方向へ徐々に傾くことを特徴とする請求項１〜請求項６のいずれか１つに記載のショーケース。
【請求項８】
前記ＬＥＤ照明が、前記棚板の幅方向に直交する平面における配光角度を絞るレンズを備えたことを特徴とする請求項１〜請求項７のいずれか１つに記載のショーケース。
【請求項９】
前記ＬＥＤ照明は、前記棚板の前端に沿って前記ＬＥＤを複数点在配置してなることを特徴とする請求項１〜請求項８のいずれか１つに記載のショーケース。
【請求項１０】
前記ＬＥＤ照明は、前記ＬＥＤを並べて一体化した棒状の照明モジュールからなることを特徴とする請求項９に記載のショーケース。
【請求項１１】
基端が前記棚板の前端部においてその幅方向に接続され、先端が前方へ延びる部分を有する第１の部材と、
前記第１の部材の前記先端から上方へ延びる第２の部材と、
を更に含んで構成され、
前記ＬＥＤ照明が、前記第１の部材の上又は上方において位置し、前記反射板が、前記第２の部材に沿って配置されることを特徴とする請求項１〜請求項１０のいずれか１つに記載のショーケース。
【発明の詳細な説明】
【技術分野】
【０００１】
本発明は、ＬＥＤ（Ｌｉｇｈｔ  Ｅｍｉｔｔｉｎｇ  Ｄｉｏｄｅ）照明装置を備えたショーケースに関する。
【背景技術】
【０００２】
ショーケースとしては、商品陳列用の棚のうち、顧客が商品を取り出す側である前部に蛍光灯を配置して棚上の商品を照明するものが知られている。このようなショーケースでは、大きなスペースを要する蛍光灯の設置により商品陳列用のスペースが減少してしまうことに加え、商品に照射されない光が多いため電気エネルギーを無駄に消費してしまう。
【０００３】
このため、特許文献１に記載されるように、蛍光灯の代わりに、スペース的、消費エネルギー的に優れたＬＥＤを有するＬＥＤ照明装置を商品の前方に配置して棚上の商品を照明する（以下、「前方照明」という）ショーケースが提案されている。
【先行技術文献】
【特許文献】
【０００４】
【特許文献１】特開２０１０−７８２５０号公報
【発明の概要】
【発明が解決しようとする課題】
【０００５】
しかしながら、このような前方照明により一定の平均照度で商品を照明するために、ＬＥＤ照明装置を商品にある程度接近して配置すると、商品前面がスポットライト状に照らされてしまう。このため、商品前面の照度は一部分で大きくなるが、その他の部分では小さくなり、棚に陳列した商品全体としては、暗い印象を顧客に与えてしまうおそれがある。
【０００６】
そこで、本発明は以上のような従来の問題点に鑑み、一定の平均照度を維持しつつ、商品の照度均斉度を向上させたショーケースを提供することを目的とする。
【課題を解決するための手段】
【０００７】
このため、本発明に係るショーケースは、商品が載置される棚板と、棚板のうち顧客が商品を取り出す側となる前側に載置される商品に対して、その前側近傍に配置され、商品を照明するＬＥＤ照明と、ＬＥＤ照明の前方に近接配置され、ＬＥＤ照明の光の一部を商品に向けて反射する反射板と、を含んで構成されたことを特徴とする。
【発明の効果】
【０００８】
本発明のショーケースによれば、棚板の前側に載置される商品に対して前側近傍に配置されるＬＥＤ照明からの直接光に加えて、直接光の一部が反射された反射光により商品を照明するので、一定の平均照度を維持しつつ、商品の照度均斉度を向上させることができる。
【図面の簡単な説明】
【０００９】
【図１】ショーケースの一例を示す斜視図
【図２】図１のＡ−Ａ線における部分断面図
【図３】棚の斜視図
【図４】棚前部の部分断面図
【図５】照明モジュールの断面図
【図６】照明モジュールの配向特性を例示する配光曲線図
【図７】照明モジュールによる商品の照明を示す説明図
【図８】商品を取り出したときの照明モジュールによる照明を示す説明図
【図９】上方に架設された棚を利用した照明モジュールによる照明を示す説明図
【図１０】乱反射層を有する表示板を用いた照明を示す説明図
【図１１】照明モジュールからの光による表示板の光透過を示す説明図
【図１２】乱反射層を有する表示板の光透過を示す説明図
【図１３】照明モジュールの光軸を下方に向けた棚を示す説明図
【発明を実施するための形態】
【００１０】
以下、添付された図面を参照して本発明を詳述する。
図１及び図２は、ショーケースの一例を示した説明図である。このショーケース１０は、例えばスーパーマーケットやコンビニエンスストアなどに設置される冷蔵ショーケースである。なお、冷凍又は保温のためのショーケースであってもよい。
【００１１】
ショーケース１０は、前面（展示側、顧客側、売場側）に開口する、断熱性を備えた箱状の本体１２と、本体１２の底面に取り付けられて本体１２を支持する設置台１４と、を含んで構成される。
【００１２】
本体１２のうち、内上面、内底面、及び内背面には、それぞれ内方に離隔して仕切壁１２ａ、１２ｂ、及び１２ｃが取り付けられ、これら仕切壁１２ａ、１２ｂ、及び１２ｃなどと本体１２の両側壁により前面に開口する陳列室１６が形成される。
【００１３】
陳列室１６と本体１２との間の空間には、図示しない蒸発器及び冷気循環用送風機などが収容され、冷気循環用送風機による冷気の循環は、陳列室１６の前面開口の上縁部に形成した吐出口１８、及び陳列室１６の前面開口の下縁部に形成した吸込口２０を介して行われる。吐出口１８から吸込口２０への冷気の流れにより、陳列室１６の前面開口には冷気のエアーカーテンが形成され、エアーカーテンの冷気の一部が陳列室１６内で循環されて陳列室１６内を冷却する。
【００１４】
設置台１４の少なくとも前後面及び側面は、良好な放熱性を備えたパネルなどで被覆され、これにより陳列室１６の下方に、圧縮機及び凝縮器や、凝縮器用送風機（いずれも図示せず）などを配設した冷凍機械室２２が形成される。圧縮機及び凝縮器は、前述の蒸発器とともに図示しない冷凍回路を構成する。
【００１５】
陳列室１６の両側壁は、陳列室１６の内部を透視可能な透明板、例えばガラス板などで画成される。使用される透明板は、断熱性を向上すべく、中空層を挟んだ３層構造とし、透明断熱フィルムの貼り付けや、透明な断熱塗料の塗布などが施されてもよい。なお、陳列室１６の内部透視性よりも断熱性が優先される場合には、両側壁の一部又は全部を、内部の透視ができない断熱パネルで画成・閉塞してもよい。
【００１６】
また、陳列室１６には、商品を載置するための複数段の棚２４がブラケット２６を介して架設される。陳列室１６の内背面の仕切壁１２ｃには、支柱２８が上下に渡って複数設けられており、この支柱２８には、ブラケット２６の基端が着脱自在に係合される係合孔３０が上下方向に複数穿設されている。棚２４は、載置される商品の高さなどに合わせて所定の高さに位置するように、隣接する支柱２８の一対の係合孔３０に係合された一対のブラケット２６に掛け渡されて架設される。棚２４は、商品の陳列・交換などを容易にすべく、ブラケット２６に対してスライドし、ショーケース１０の前方へ迫り出す。
【００１７】
図３は、一対のブラケット２６に架設される棚２４の一例を示す斜視図である。棚２４は、商品を載置する載置面が略四角形状の棚板３２と、棚板３２の４辺に立設し、棚板３２に載置された商品の落下を防止するガード３４と、棚板３２の前端においてその幅方向に延びる前端部材３６と、照明モジュール３８と、表示板４０と、遮蔽板４２と、を含んで構成される。
【００１８】
図４は、棚２４の前部の構造を示す部分断面図である。
前端部材３６は、第１の部材４４と、第２の部材４６と、を含んで構成される。第１の部材４４は、棚板３２の前端においてその幅方向に延び、横断面が略一様に階段状となるように、上段部４４ａと、下段部４４ｂと、これらを接続する接続部４４ｃを有して形成される。上段部４４ａは、棚板３２前端部の底面で固定されて、第１の部材４４の基端をなし、前方へ延びる下段部４４ｂの延出端は第１の部材４４の先端をなす。また、第２の部材４６は、第１の部材４４の先端から上方へ延びる。そして、第１の部材４４の下段部４４ｂ及び接続部４４ｃと、第２の部材４６と、が凹部４８を形成する。なお、棚板３２と別体の前端部材３６に替えて、棚板３２の前端から延出して一体的に形成される、棚板３２の凹部としてもよい。
【００１９】
棚板３２に載置した商品５０を照明する棒状の照明モジュール３８は、前端部材３６の凹部４８内に配置されるように、棚板３２の前端から延出した一体形成の、又は棚板３２の前端部に接続固定される別体のホルダー５２に保持固定される。これにより、商品５０を棚２４に出し入れする際に、商品５０が照明モジュール３８に直接接触することを、ホルダー５２と協働して抑制するようにしている。なお、照明モジュール３８は、凹部３６ｃ内に直接固定されてもよい。
【００２０】
照明モジュール３８は、図５に示すように、ＬＥＤ３８ａ及びレンズ３８ｂを有するＬＥＤ光源を、長手方向に一定の間隔（例えば、１０〜１５ｍｍ程度）で点在するように配置して一体化したものである。
【００２１】
ＬＥＤ３８ａは、例えば、０．１Ｗ〜０．５Ｗ程度の消費電力であって、最大光度の１／２の範囲の配光角度（１／２ビーム角）が１２０度程度のものを用いる。
【００２２】
また、レンズ３８ｂは棚板３２の幅方向に直交する平面におけるＬＥＤ３８ａの１／２ビーム角を、例えば、図６に示すように、６０度程度まで絞るものであり、このレンズ３８ｂによる配光角度の絞りによって、光軸中心付近の光度を強くしている。なお、レンズ３８ｂからの出射光は、光軸中心に対して略対称に調整されている。
【００２３】
さらに、照明モジュール３８は、幅Ｗ＝１５ｍｍ程度、高さＨ＝１３．５ｍｍ程度のものであり、長さは、棚板３２の幅に合わせてある。
そして、照明モジュール３８をホルダー５２に保持固定したときに、その光軸が略上方に向くように設定される。光軸が棚板３２に対して略垂直となっていてもよい。
【００２４】
また、照明モジュール３８を保持固定したときに、照明モジュール３８が、棚板３２の最前列に並ぶ商品列５０の前面のうち、下部に直接光を照射しつつ、上部にも十分な直接光を照射できるように、前述の配光特性を考慮して照明モジュール３８の位置が設定される。このため、照明モジュール３８は、棚板３２の前端部に載置される商品列５０に対して、その前側近傍に配置される。具体的には、照明モジュール３８は、棚板３２の載置面の前端縁に対して、斜め下前方に近接配置される。なお、前端部材３６及びホルダー５２のサイズは、かかる照明モジュール３８の配置に対応しつつ、陳列室１６の前面開口に形成される冷気のエアーカーテンを遮断しないように決定されている。
【００２５】
長板状の表示板４０は、その一面が、商品５０に関するＰＯＰ（Ｐｏｉｎｔ  ｏｆ  Ｐｕｒｃｈａｓｅ）広告などを表示した表示層４０ａを形成してなり、この面を前面として前端部材３６の凹部３６ｃ内に照明モジュール３８の前方で挿置される。挿置された表示板４０は、前端部材３６の内面と、照明モジュール３８を保持するホルダー５２とで挟持されてもよい。表示板４０の高さは、挿置された状態において、顧客による商品５０の取り出しを妨げず、かつ、顧客が後方の商品５０の商品表示ラベルなどを視認できるように設定されている。
【００２６】
また、表示板４０の後面は、照明モジュール３８からの光を商品５０に向けて反射する反射面として作用し、この作用から表示板４０は反射板ともいうことができる。
さらに、表示板４０は、上方にいくにつれて、棚板３２の方向へ徐々に傾けられており、前面に表示されたＰＯＰ広告などの顧客に対する訴求力を向上するとともに、照明モジュール３８からの光を表示板４０の後面で反射したときに、反射光が棚板３２上に載置された商品５０へ効果的に照射されるようにしている。
【００２７】
遮蔽板４２は、前端部材３６の両側方を表示板４０の上端と略同じ高さまで覆い、前端部材３６の側方に漏れる照明モジュール３８からの直接光を遮蔽して、顧客が眩しさを感じ難いようにしている。なお、遮蔽板４２から表示板４０の後面に沿って立設するステイにより表示板４０を支持又は固定するようにしてもよい。
【００２８】
図７に示すように、照明モジュール３８を点灯すると、棚板３２の最前列に並ぶ商品列５０は、照明モジュール３８（ＬＥＤ３８ａ）からの直接光で照明されるとともに、表示板４０からの反射光によっても照明される。
このような照明モジュール３８による直接光は、前方照明による直接光よりも商品列５０前面の照度均斉度を向上することができる。
【００２９】
すなわち、商品５０の並ぶ棚板３２の載置面の前端縁に対して斜め下前方に近接配置された照明モジュール３８は、そのＬＥＤ３８ａの配光角度がレンズ３８ｂにより絞られるとともに、光軸を略上方に向けているため、光軸中心近傍の光度が大きい直接光が、商品列５０のうち照明モジュール３８から遠い上部を照射し、光度の小さい直接光が、商品列５０のうち照明モジュール３８から近い下部を照射する。その反面、照度は距離の２乗に反比例するので、商品列５０のうち、照明モジュール３８から近い下部に比べ、照明モジュール３８から遠い上部では照度が低くなる。このため、商品列５０の上部と下部照度が近づき、商品列５０の前面における照度均斉度を向上させることができる。したがって、照明モジュール３８からの直接光は、前方照明の場合に比べ、商品列５０の前面の照度均斉度を向上させることができる。これにより、商品５０全体として明るい印象を顧客に与えることが可能となる。なお、ＬＥＤ３８ａの配光角度がレンズ３８ｂにより絞られていない照明モジュール３８であっても、例えば、比較的高さの低い商品５０などに対して前述のような照度均斉度を向上させる効果がある。
【００３０】
照明モジュール３８は、その直接光による照度ムラを軽減できるが、ＬＥＤ３８ａの光軸が商品５０の方向ではなく略上方に向けられるので、前方照明に比べて商品５０に照射される直接光が減少する。しかし、照明モジュール３８からの光の一部は、表示板４０の後面で商品５０に向けて反射されるため、この反射光が、照明モジュール３８から商品５０に照射される直接光を補って商品５０を照明する。このため、前方照明と比べても商品列５０の前面における平均照度を大幅に低下させることなく、一定のレベルに維持することができる。特に、商品列５０の上部は、照明モジュール３８から遠い部分であるため、直接光による照度が不足し易いところ、表示板４０の後面に照射される光のうち、照明モジュール３８から遠い位置に照射される光は、表示板４０に対する入射角度が大きくなって高い反射率で反射して商品列５０の上部を照射できる。したがって、商品列５０の前面における平均照度を一定のレベルに維持することに加え、商品列５０の上部と下部の照度を近づけて照度均斉度を向上させることにも寄与できる。
【００３１】
図８に示すように、棚板３２の最前列に並べられた商品５０を取り出すと、その奥の商品５０ａの下部には、照明モジュール３８からの直接光が照射され難くなる。しかし、照明モジュール３８の前方には、上方にいくにつれて、棚板３２の方向へ徐々に傾く表示板４０が配置されるので、照明モジュール３８からの光の一部を表示板４０の後面で反射した反射光が、奥の商品５０ａの下部にまで照射され易くなり、顧客による商品５０ａの視認性などを向上させるという点で、商品５０ａに対する照度均斉度を向上させた照明の可能性が高まる。
【００３２】
図９に示すように、照明モジュール３８からの光は、その照明モジュール３８が備えられた棚２４の上方に架設された棚２４ａの下面、例えば棚板３２ａの底面などに反射して、棚板３２に載置された商品５０を上方から照射する。一方、照明モジュール３８の光を表示板４０で反射した反射光は、直接光よりも奥の棚板３２ａ底面で大きな反射角度で反射する。したがって、表示板４０を備えていない場合に比べて、棚板３２に載置した商品５０をより奥の方まで照明でき、商品５０全体として明るい印象を顧客に与えることにも寄与する。
【００３３】
なお、前述のショーケース１０のうち、表示板４０の後面は、照明モジュール３８からの光を乱反射させる表面処理、例えば、白色などのシルク印刷、微細な凹凸のあるディンプル加工、つや消し塗料の塗布、シボ加工などを施した乱反射層４０ｂを備えてもよい。
【００３４】
このような乱反射層４０ｂを備えた表示板４０の後面は、図１０に示すように、照明モジュール３８からの光を受けて乱反射を起こすため、入射光は、鏡面反射と異なり、様々な方向へ反射する。したがって、乱反射層４０ｂを備えていない場合に比べて、表示板４０の後面からの乱反射光は、直接光と混成されて比較的均一に５０へ照射されるため、直接光による商品列５０の照度均斉度を向上できる。また、かかる乱反射光と直接光との混成光は、やわらかい自然な感じの照明を実現できる。このような乱反射層４０ｂを備えた構成が奏する効果について、さらに付言すれば、以下のとおりである。
【００３５】
すなわち、照明モジュール３８の配光特性において、光度が光軸中心から一定の変化率で減衰しないことや（図６参照）、照明モジュール３８においてＬＥＤ３８ａが間隔を空けて配置されることから、照明モジュール３８からの直接光には多少のムラが生じてしまう。しかし、乱反射層４０ｂを備えた表示板４０後面からの乱反射光は、様々な方向へ出射するので、直接光と混成されて、このようなムラを減殺する効果がある。
【００３６】
また、直接光や、乱反射層４０ｂを備えていない表示板４０後面からの反射光では照射できない陰の部分が商品５０間に生じる。しかし、乱反射層４０ｂを備えた表示板４０の場合には、その後面からの乱反射光が、かかる陰の部分にも回り込んで照射され、商品５０間の陰影を軽減できる。
【００３７】
さらに、棚板３２の最前列に載置された商品５０を取り出したときにおいて（図８参照）、乱反射層４０ｂを備えていない表示板４０後面から、奥の商品５０ａの下部に向けて照射される反射光は、比較的光度の小さい直接光を反射したものであるため、奥の商品５０下部の照度が不足してしまう場合がある。しかし、乱反射層４０ｂを備えた表示板４０であれば、比較的光度の大きい直接光を反射して奥の商品５０下部にも照射できるため、照度不足の改善が可能である。
【００３８】
表示板４０が、光を透過性させる性質を有する材料、例えば、透明樹脂、ガラスなどからなる場合において、表示板４０の後面に乱反射層４０ｂを備えていないときには、図１１に示すように、照明モジュール３８から表示板４０の後面に入射した光は、空気及び表示板４０の屈折率差により、略一意的な屈折角で屈折する。この場合、照明モジュール３８の配光特性により、光軸中心近傍での光度が大きいため、光軸中心近傍の光が表示板４０の後面に入射して屈折・透過した領域で輝度が顕著に高くなり輝度ムラが現出する。このため、表示板４０の前面に表示されたＰＯＰ広告などの表示層４０ａに明暗が明瞭に現れ、顧客吸引力にも影響を与えるおそれがある。
【００３９】
表示板４０の後面に乱反射層４０ｂを備えていない場合の光透過に対し、乱反射層４０ｂを備えている場合の光透過は異なる。すなわち、図１２に示すように、照明モジュール３８から表示板４０の後面に入射した光は、乱反射層４０ｂを有さない後面での屈折において略一意的に定まる屈折角、とは異なる角度で屈折し透過する。したがって、光度が大きい光軸中心近傍の光が表示板４０の後面に入射しても様々な方向へ屈折するため、特定の領域の輝度が高くならず輝度ムラが低減される。つまり、表示板４０の前面に表示されたＰＯＰ広告などに明暗が現れ難くなる。このような乱反射層４０ｂを備えた構成が奏する効果について、さらに付言すれば、以下のとおりである。
【００４０】
すなわち、照明モジュール３８の配光特性において、光度が光軸中心から一定の変化率で減衰しないことや（図６参照）、照明モジュール３８においてＬＥＤ３８ａが間隔を空けて配置されることから、照明モジュール３８からの直接光には多少のムラが生じてしまう。しかし、乱反射層４０ｂを備えた表示板４０の場合、照明モジュール３８から、その後面に入射した直接光は、様々な方向へ屈折・透過するので、その透過光が直接光と混成されて、このようなムラを減殺する効果がある。
【００４１】
前述のショーケース１０のうち、棚板３２の前端に立設するガード３４は、光透過性の高い透明板で構成されるとよい。これにより、照明モジュール３８の照明可能な範囲を広げることがきる。特に、棚板３２の最前列に並べられた商品５０を取り出した後に、その奥に載置される商品５０ａの下部を照明する際に有意義である。
【００４２】
前述のショーケース１０において、遮蔽板４２のうち照明モジュール３８に臨む面は、前述のように、照明モジュール３８からの光を乱反射させる表面処理を施した層を備えているとよい。これにより、商品５０の照明を自然な感じの照明に一層近づけることができる。
【００４３】
前述のショーケース１０では、照明モジュール３８の光軸を略上方に向けて、商品列５０の斜め下前方から照明していた。これに替えて、図１３に示すように、照明モジュール３８の光軸を略下方に向けて、商品５０を上方から照明することもできる。照明モジュール３８は、棚板３２の前部に載置される商品列５０に対して、その前側近傍でＬＥＤ３８ａの光軸が下方向に延びるように配置される。具体的には、照明モジュール３８により照明される商品５０を陳列した棚２４に対し、その上方に架設された棚２４ａの底面に、光軸を略下方に向けた照明モジュール３８がホルダー５２を介して設置される。この場合に、前述のショーケース１０と異なる構成を例示する。すなわち、棚板３２ａの上面は平面に形成されるとともにその前端が下方に折り曲げられ、この折曲部の後面とホルダー５２との間に表示板４０が下方から内挿・挟持される。
【００４４】
このように照明モジュール３８の光軸を略下方に向けたショーケース１０は、例えば、棚２４、２４ａを顧客の視点より高い位置に架設する場合に、商品５０の取り出し容易性、及び表示板４０前面のＰＯＰ広告の訴求性向上という観点で有意義となる。
【００４５】
前述のショーケース１０において、棚板３２の前端に立設するガード３４が光を透過せず、その後方にある商品５０前面の下部からの照明が不要であるなどの場合には、図４の棚２４に替えて、第１の部材４４を平板として、棚板３２の載置面と面一に接続し、第１の部材４４上又はその上方に照明モジュール３８を配置した棚としてもよい。この場合、第１の部材４４と棚板３２とを一体化した平板として構成し、その前縁を上方に折り曲げて第２の部材４６の替わりとしてもよい。これにより、棚２４の高さ方向のサイズを狭小化できるので、棚２４と棚２４の下方に架設された棚との間に画される開口を通して、商品５０の出し入れをスムーズに行うことが可能となる。
【００４６】
前述のショーケース１０は、いわゆるオープンショーケースとして説明したが、陳列室１６の前面開口を、例えば、開閉自在なガラス扉などで画成・閉塞したショーケースとしてもよい。
【符号の説明】
【００４７】
１０  ショーケース
３２  棚板
３６  前端部材
３８  照明モジュール
３８ａ  ＬＥＤ
３８ｂ  レンズ
４０  表示板
４０ａ  表示層
４０ｂ  乱反射層
４４  第１の部材
４６  第２の部材
５０  商品、商品列
【図１】
2012157554.tif 000003
【図２】
2012157554.tif 000004
【図３】
2012157554.tif 000005
【図４】
2012157554.tif 000006
【図５】
2012157554.tif 000007
【図６】
2012157554.tif 000008
【図７】
2012157554.tif 000009
【図８】
2012157554.tif 000010
【図９】
2012157554.tif 000011
【図１０】
2012157554.tif 000012
【図１１】
2012157554.tif 000013
【図１２】
2012157554.tif 000014
【図１３】
2012157554.tif 000015